(57)【要約】      （修正有）【課題】歩行し易く、かつ、排泄時に体の重心が前側に傾け易いトイレ用履物底の構造を提供する。【解決手段】半流動体３と、半流動体を密閉状態で収容する収容部３０とを備え、収容部３０は前足部Ｆａ、中足部Ｆｂおよび後足部Ｆｃにわたって設けられ、半流動体が前足部Ｆａから中足部Ｆｂを通って後足部Ｆｃへ向って移動するのを許容し、半流動体３が後足部Ｆｃから中足部Ｆｂを通って前足部Ｆａへ向って戻るのを許容する。前足部Ｆａに体重が負荷されたときに半流動体３の移動を実質的に止めて後足部Ｆｃに移動した半流動体３により、着用者の踵Ｆｈが上方Ｚ１に押し上げられた状態を維持する括れ部３０ｂが収容部３０の中足部Ｆｂに設けられている。【選択図】図２
0003154557.tif 000002
【実用新案登録請求の範囲】
【請求項１】
流動性を持つ高分子、ペースト、粉体または小球あるいはこれらの混合物からなる半流動体と、
前記半流動体を密閉状態で収容する収容部とを備え、
前記収容部は前足部、中足部および後足部にわたって設けられ、
前記半流動体が前足部から中足部を通って後足部へ向って移動するのを許容し、前記半流動体が後足部から中足部を通って前足部へ向って戻るのを許容し、かつ、前記前足部に体重が負荷されたときに前記半流動体の移動を実質的に止めて前記後足部に移動した半流動体により、着用者の踵が上方に押し上げられた状態を維持する括れ部が前記収容部の中足部に設けられているトイレ用履物底の構造。
【考案の詳細な説明】
【技術分野】
【０００１】
本考案はトイレ用履物底の構造に関するものである。
【背景技術】
【０００２】
従来より、種々のトイレ用履物が提案されている（特許文献１参照）。
【先行技術文献】
【特許文献】
【０００３】
【特許文献１】実用新案登録第３０１２９３２号（要約書）
【考案の概要】
【考案が解決しようとする課題】
【０００４】
一般に、和式トイレにおいて、屈んで排泄行為を行う際に、体が後側に傾いていると反り返った状態となり、下半身の負担が大きくなり排泄を行い辛い。
そこで、特許文献１の履物は、前足部に比べて後足部の踵部分が高く形成されている。そのため、排泄行為を行う際に体が自然に前屈みの状態となるから、下半身への負担が少なくなり排泄が行い易くなる。
【０００５】
しかし、前記特許文献１の履物では、踵の部分が高くなっているため、歩行が難しく、広いトイレスペースでは便器に到着するまでに躓いたりする場合がある。
【０００６】
したがって、本考案の目的は、歩行し易く、かつ、排泄時に体の重心が前側に傾け易いトイレ用履物底の構造を提供することである。
【課題を解決するための手段】
【０００７】
前記目的を達成するために、本考案のトイレ用履物底の構造は、流動性を持つ高分子、ペースト、粉体または小球あるいはこれらの混合物からなる半流動体と、前記半流動体を密閉状態で収容する収容部とを備え、前記収容部は前足部、中足部および後足部にわたって設けられ、前記半流動体が前足部から中足部を通って後足部へ向って移動するのを許容し、前記半流動体が後足部から中足部を通って前足部へ向って戻るのを許容し、かつ、前記前足部に体重が負荷されたときに前記半流動体の移動を実質的に止めて前記後足部に移動した半流動体により、着用者の踵が上方に押し上げられた状態を維持する括れ部が前記収容部の中足部に設けられている。
【考案の効果】
【０００８】
本考案によれば、歩行時には、収容部の半流動体が前足部から後足部まで概ね均等に収容され、踵部分が極端に高くならないので歩き易い。
一方、和式トイレでの排泄時において、着用者が前足部に体重を負荷すると、収容部内の半流動体が前足部から後足部に移動されて踵部分の高さが高くなる。そのため、体の重心が前側に傾き、排泄時における下半身への負担が少なくなる。
【０００９】
また、前記括れ部は、半流動体が後足部から前足部移動するのを実質的に止める弁の役割を果たすので、着用者の踵が上方に押し上げられた状態を維持することができる。
【００１０】
なお、本考案で用いられる「流動性を持つ高分子」としては、固体と液体の中間的な性質を併せ持つ高分子ゲルを用いることができる。
また「ペースト」とは、流動性と高い粘性を有する物質のことをいう。
さらに、「小球」としては、たとえば、合成樹脂製の小球が好ましい。前記小球の直径は、０．５ｍｍ〜３ｍｍ程度が好ましく、より好ましくは０．５ｍｍ〜２ｍｍ程度が良い。
【図面の簡単な説明】
【００１１】
【図１】本考案の実施例１にかかるトイレ用履物底の構造を示す底面からの概略横断面図である。
【図２】同トイレ用履物の概略縦断面図である。
【図３】同排泄時における概略縦断面図である。
【図４】図４Ａは後足部における幅方向の概略断面図、図４Ｂは排泄時における幅方向の概略断面図である。
【図５】実施例１の変形例にかかるトイレ用履物底の構造を示す底面からの概略横断面図である。
【図６】本考案の実施例２にかかるトイレ用履物を示す概略縦断面図である。
【図７】同排泄時における概略縦断面図である。
【実施例１】
【００１２】
以下、本考案に係るトイレ用履物底の構造の実施例を図面にしたがって説明する。
なお、以下の説明では、左足のトイレ用履物を例示して説明する。
図１〜図４は実施例１を示す。
【００１３】
全体構成：
図２に示すように、本実施例１のトイレ用履物１は第１および第２アウターソール２６，２７、ミッドソール２および甲保持部３を備えている。
【００１４】
前記第１および第２アウターソール２６，２７の上面には、収容部３０およびミッドソール２の下面３０ｄ，２ｄが固着されている。
【００１５】
図１および図２に示すように、前記ミッドソール２の下部には、該ミッドソール２の下方Ｚ２に向って開口する取付孔２２が形成されている。前記取付孔２２内には、網点で示す半流動体３が密閉されて収容された収容部３０が挿入されいている。収容部３０の上面３０ｕは該取付孔２２に接着されている。
【００１６】
なお、前記半流動体３としては、流動性を持つ高分子、ペースト、粉体または小球を用いることができる。
【００１７】
ミッドソール２の上面２ｕにおいて、前足部Ｆａの一部および中足部Ｆｂには、着用者の甲を保持するアーチ型の保持部材４が形成されている。
【００１８】
前収容部３０ａ：
図１に示すように、前記収容部３０は、前足部Ｆａ、中足部Ｆｂおよび後足部Ｆｃにわたって設けられている。
前記前足部Ｆａの前収容部３０ａと、後足部Ｆｃの後収容部３０ｃとは、後足部Ｆｃに設けられた括れ部３０ｂを介して一体に形成されている。そのため、前足部Ｆａに着用者の体重が負荷されると、図３に示すように、当該前足部Ｆａに設けられた前収容部３０ａ内の半流動体３が、括れ部３０ｂを介して後足部Ｆｃに設けられた後収容部３０ｃに向って移動する。
前記半流動体３の移動によって、図３に示すように、ミッドソール２の前足部Ｆａが下方Ｚ２に向って押し下げられると共に、該ミッドソール２の後足部Ｆｃが上方Ｚ１に向って押し上げられる。
【００１９】
なお、図４Ａに示すように、前記後足部Ｆｃ側の収容部３０の側面は、蛇腹状に形成されていてもよい。収容部３０の側面を蛇腹状に形成することにより、半流動体３が後足部Ｆｃに移動すると、図４Ｂに示すように、ミッドソール２をより高く押し上げることができる。
【００２０】
括れ部３０ｂ：
図１に示すように、前記括れ部３０ｂの幅方向Ｗの長さは、前および後収容部３０ａ，３０ｃの幅方向Ｗの長さよりも短く形成されている。
そのため、前記半流動体３が前足部Ｆａから中足部Ｆｂを通って後足部Ｆｃヘ向って移動するのを許容すると共に、後足部Ｆｃから中足部Ｆｂを通って前足部Ｆａヘ向って戻るのを規制することができる。
このように、括れ部３０ｂが逆止弁のような働きをすることで、半流動体３によって着用者の踵Ｆｈが上方Ｚ１に向って押し上げられた状態を維持することができる。
【００２１】
使用方法：
図２に示すように、本トイレ用履物は、歩行時においては、半流動体３が収容部３０内を若干移動する程度であり、歩行に障害が生じるおそれがない。
一方、図３に示すように、着用者が屈み、前足部Ｆａに体重を負荷すると、半流動体３が前足部Ｆａから中足部Ｆｂを通り後足部Ｆｃに移動する。該半流動体３の移動によって前足部Ｆａが下方Ｚ２に移動すると共に、後足部Ｆｃが上方Ｚ１に移動する。
前述したように、括れ部３０ｂによって半流動体３の移動が規制され、着用者の踵Ｆｈが上方Ｚ１に向って押し上げられた状態が維持される。
【００２２】
着用者が排泄行為を行った後、立ち上がると前記半流動体３が後足部Ｆｃから中足部Ｆｂを通って前足部Ｆａヘ向って移動し、踵Ｆｈが下方Ｚ２に向って下がり、図２に示す初期状態に戻る。したがって、着用者は排泄後に、トイレ内を支障なく歩行することができる。
【００２３】
なお、図５に示すように、前記後収容部３０ｃは、略Ｕ字状に形成されていてもよい。後収容部３０ｃを略Ｕ字状に形成することにより、半流動体３によってミッドソール２の幅方向Ｗの両端が均等に支持され、トイレ用履物１が幅方向Ｗにぐらつくおそれがなくなる。
【実施例２】
【００２４】
図６および図７は実施例２を示す。
図６に示すように、本実施例２のトイレ用履物では、前記ミッドソール２の上部に、該ミッドソール２の上方Ｚ１に向って開口する取付孔２２が形成されている。前記取付孔２２内には、半流動体３が密閉されて収容された収容部３０が取り付けられ、該収容部３０の下面３０ｄが該取付孔２２に固着されている。
【００２５】
前記収容部３０の上面３０ｕおよびミッドソール２の上面２ｕには、全面に渡って上ミッドソール５が固着されている。前記上ミッドソール５は、たとえば、伸縮性を有する合成樹脂で形成されている。
ミッドソール２の下面２ｄには全面に渡ってアウターソール２７が設けられている。
その他の構成は、実施例１と同様であり、同一部分または相当部分に同一符号を付して、その説明を省略する。
【００２６】
使用方法：
図６に示すように、本トイレ用履物は、歩行時においては、半流動体３が収容部３０内を若干移動する程度であり、歩行に障害が生じるおそれがない。
一方、図７に示すように、着用者が屈み、前足部Ｆａに体重を負荷すると、半流動体３が前足部Ｆａから中足部Ｆｂを通り後足部Ｆｃに移動する。該半流動体３の移動によって前足部Ｆａ側の上ミッドソール５が下方Ｚ２に移動すると共に、後足部Ｆｃ側の上ミッドソール５が上方Ｚ１に移動する。
したがって、括れ部３０ｂによって半流動体３の移動が規制され、着用者の踵Ｆｈが上方Ｚ１に向って押し上げられた状態が維持される。
【００２７】
着用者が排泄行為を行った後、立ち上がると前記半流動体３が後足部Ｆｃから中足部Ｆｂを通って前足部Ｆａヘ向って移動し、踵Ｆｈが下方Ｚ２に向って下がり、図５に示す初期の状態に戻る。
【００２８】
なお、収容部３０は、上下に設けたミッドソール２の間に設けてもよい。
また、前記保持部材４は、着用者の爪先を覆うように形成されていてもよいし、鼻緒であってもよい。
また、ミッドソール２は合成樹脂で形成されていてもよいし、木製であってもよい。
【産業上の利用可能性】
【００２９】
本考案の履物底の構造はトイレ用履物底に用いることができる。
【符号の説明】
【００３０】
３：半流動体
２２：取付孔
３０ｂ：括れ部
Ｆａ：前足部
Ｆｂ：中足部
Ｆｃ：後足部
【図１】
0003154557.tif 000003
【図２】
0003154557.tif 000004
【図３】
0003154557.tif 000005
【図４】
0003154557.tif 000006
【図５】
0003154557.tif 000007
【図６】
0003154557.tif 000008
【図７】
0003154557.tif 000009